(57)【要約】【課題】各構造部材から突出する縁部材の高さを調整可能で、きれいな外観に仕上げることができる縁部材の取付金具、縁部材および建物構造を提供する。【解決手段】縁部材の取付金具１１ａが１枚の可撓性で矩形状の金属板から形成される。溝部が取付金具１１ａの中央部をその幅方向に沿った折れ線で折り曲げて形成される。保持部が溝部の幅方向にある金属板の両端部を溝部の上方に突出させ、互いに所定の間隔をあけて溝部の上部開口の中央で対向させ、溝部の上方に突出した部分を溝部の底部側に傾斜させて形成される。羽根部が溝部の幅方向にある金属板の両端部を溝部の折れ線と平行な折れ線で折り返し折り重ねて成る。縁部材本体１２ａは突出部を取付金具１１ａの保持部の間に挿入し、係合部で保持部と係合可能である。【選択図】図５
0003165276.tif 000002
【実用新案登録請求の範囲】
【請求項１】
１枚の可撓性で矩形状の金属板を長さ方向または幅方向に沿った折れ線で折り曲げて形成された溝部と、
前記溝部の幅方向にある前記金属板の両端部を前記折れ線と平行な折れ線で折り返し折り重ねて成る羽根部と、
前記両端部を前記溝部の上方に突出させ、互いに所定の間隔をあけて対向させ、前記溝部の上方に突出した部分を前記溝部の底部側に傾斜させて形成された保持部とを有することを、
特徴とする縁部材の取付金具。
【請求項２】
請求項１記載の縁部材の取付金具と縁部材本体とを有し、
前記縁部材本体は細長く、突出部と係合部とを有し、
前記突出部は、前記縁部材本体の長さ方向に沿って伸び、前記取付金具の保持部の間に挿入可能に設けられ、
前記係合部は、前記突出部の側面の、先端からの距離が異なる複数の位置に設けられ、前記突出部を前記保持部の間に挿入したとき、複数の深さで前記保持部と係合可能に形成されていることを、
特徴とする縁部材。
【請求項３】
複数の請求項２記載の縁部材と複数のカバー部材とを有し、
各縁部材はそれぞれ前記取付金具が壁部材、天井部材または床部材と壁部材との間に前記溝部を挿入して固定され、前記縁部材本体が前記取付金具に取り付けられており、
各カバー部材は、複数の前記縁部材本体の表面に取り付けられ、隣り合う縁部材本体の対向する縁部にまたがって各縁部を覆うことを、
特徴とする建物構造。
【考案の詳細な説明】
【技術分野】
【０００１】
本考案は、縁部材の取付金具、縁部材および建物構造に関する。
【背景技術】
【０００２】
従来の入隅材や出隅材、回り縁、巾木などの縁部材は、壁部材や天井部材、床部材などの構造部材に直接、粘着剤や釘などで固定するものが多く、各構造部材から突出する高さが一定であった（例えば、特許文献１または２参照）。
【先行技術文献】
【特許文献】
【０００３】
【特許文献１】特開２００２−６１３８３号公報
【特許文献２】特開平６−２２０９８４号公報
【考案の概要】
【考案が解決しようとする課題】
【０００４】
特許文献１および２に記載のような従来の縁部材は、各構造部材から突出する高さを調整できないため、各構造部材の厚みや高さが異なったり、縁部材同士が重なったりする場合、隙間ができて外観上、仕上がりが悪いという課題があった。
【０００５】
本考案は、このような課題に着目してなされたもので、各構造部材から突出する縁部材の高さを調整可能で、きれいな外観に仕上げることができる縁部材の取付金具、縁部材および建物構造を提供することを目的とする。
【課題を解決するための手段】
【０００６】
上記目的を達成するために、本考案に係る縁部材の取付金具は、１枚の可撓性で矩形状の金属板を長さ方向または幅方向に沿った折れ線で折り曲げて形成された溝部と、前記溝部の幅方向にある前記金属板の両端部を前記折れ線と平行な折れ線で折り返し折り重ねて成る羽根部と、前記両端部を前記溝部の上方に突出させ、互いに所定の間隔をあけて対向させ、前記溝部の上方に突出した部分を前記溝部の底部側に傾斜させて形成された保持部とを有することを、特徴とする。
【０００７】
本考案に係る縁部材は、本考案に係る縁部材の取付金具と縁部材本体とを有し、前記縁部材本体は細長く、突出部と係合部とを有し、前記突出部は、前記縁部材本体の長さ方向に沿って伸び、前記取付金具の保持部の間に挿入可能に設けられ、前記係合部は、前記突出部の側面の、先端からの距離が異なる複数の位置に設けられ、前記突出部を前記保持部の間に挿入したとき、複数の深さで前記保持部と係合可能に形成されていることを、特徴とする。
【０００８】
本考案に係る縁部材は、取付金具の溝部を２つの構造部材の間に挿入し、固定して使用される。本考案に係る縁部材は、縁部材本体の突出部を取付金具の保持部の間に挿入するとき、先端からの距離が異なる複数の位置の係合部により複数の深さで保持部と係合させることができる。このため、取付金具に対し、縁部材本体の取付高さを調整することができる。各構造部材の厚みや高さが異なる場合や縁部材同士が重なる場合でも、縁部材本体の高さを調整し、きれいな外観に仕上げることができる。
【０００９】
本考案に係る縁部材で、取付金具は、各羽根部が各構造部材の表面に沿うよう取り付けられていることが好ましい。取付金具は、各構造部材に対して、溝部で固定されていても、羽根部で固定されていてもよい。本考案に係る縁部材は、一つの縁部材本体を複数の取付金具で固定することが好ましい。本考案に係る縁部材は、取付金具が各構造部材に対して着脱可能に固定されて再利用できることが好ましい。なお、取付金具の折れ線は、鋭角状の線でも湾曲状の線でもよい。係合部は、複数の平行な突条から成っても散点状の突起から成ってもよい。
【００１０】
本考案に係る縁部材の取付金具は、１枚の矩形状の金属板から成っているため、製造が容易で、材料コストおよび製造コストの低減を図ることができる。本考案に係る縁部材は、取付金具の保持部が金属板１枚分から成って可撓性を有するため、縁部材本体の突出部を挿入して係合部を保持部に係合しやすい。特に、保持部は溝部の底部側に傾斜しているため、縁部材本体の突出部を挿入しやすく、かつ係合部が外れにくくなっている。ただし、縁部材本体を外す方向に強く引っ張ることにより取り外せるようにし、縁部材本体を着脱可能にしてあることが好ましい。各羽根部は、金属板を折り返し折り重ねてあるため、強度が高く破損しにくい。
【００１１】
本考案に係る建物構造は、複数の本考案に係る縁部材と複数のカバー部材とを有し、各縁部材はそれぞれ前記取付金具が壁部材、天井部材または床部材と壁部材との間に前記溝部を挿入して固定され、前記縁部材本体が前記取付金具に取り付けられており、各カバー部材は、複数の前記縁部材本体の表面に取り付けられ、隣り合う縁部材本体の対向する縁部にまたがって各縁部を覆うことを、特徴とする。
【００１２】
本考案に係る建物構造は、複数の縁部材の各構造部材から突出する高さを調整することができるので、きれいな外観に仕上げることができる。特に、各カバー部材が縁部材本体の表面に取り付けられて縁部材本体の対向する各縁部を覆うため、よりきれいな外観に仕上げることができる。
【考案の効果】
【００１３】
本考案によれば、各構造部材から突出する縁部材の高さを調整可能で、きれいな外観に仕上げることができる縁部材の取付金具、縁部材および建物構造を提供することができる。
【図面の簡単な説明】
【００１４】
【図１】本考案の実施の形態の（ａ）回り縁用取付金具を示す側面図、（ｂ）回り縁用縁部材本体を示す側面図である。
【図２】本考案の実施の形態の（ａ）出隅用取付金具を示す側面図、（ｂ）出隅用縁部材本体を示す側面図である。
【図３】本考案の実施の形態の（ａ）入隅用取付金具を示す側面図、（ｂ）入隅用縁部材本体を示す側面図である。
【図４】本考案の実施の形態の（ａ）中間用取付金具を示す側面図、（ｂ）中間用縁部材本体を示す側面図である。
【図５】図１に示す回り縁用取付金具、回り縁用縁部材本体および回り縁用カバー部材の使用状態を示す断面図である。
【図６】図２に示す出隅用取付金具および出隅用縁部材本体の使用状態を示す断面図である。
【図７】図３に示す入隅用取付金具および入隅用縁部材本体の使用状態を示す断面図である。
【図８】図４に示す中間用取付金具および中間用縁部材本体の使用状態を示す断面図である。
【図９】本考案の実施の形態の建物構造の出隅用カバー部材を示す（ａ）正面図、（ｂ）背面図、（ｃ）使用状態を示す平面図である。
【図１０】本考案の実施の形態の建物構造の入隅用カバー部材を示す（ａ）正面図、（ｂ）使用状態を示す平面図である。
【考案を実施するための形態】
【００１５】
以下、図面に基づき本考案の実施の形態について説明する。
図１乃至図１０は、本考案の実施の形態の縁部材および建物構造を示している。
図１乃至図１０に示すように、本考案の実施の形態の縁部材は、縁部材の取付金具１１ａ，１１ｂ，１１ｃ，１１ｄと縁部材本体１２ａ，１２ｂ，１２ｃ，１２ｄとを有している。本考案の実施の形態の建物構造は、本考案の実施の形態の縁部材とカバー部材１３ａ，１３ｂ，１３ｃとを有している。
【００１６】
図１（ａ）乃至図４（ａ）に示すように、取付金具１１ａ，１１ｂ，１１ｃ，１１ｄは、回り縁用取付金具１１ａ、出隅用取付金具１１ｂ、入隅用取付金具１１ｃおよび中間用取付金具１１ｄの４種類から成っている。各取付金具１１ａ，１１ｂ，１１ｃ，１１ｄは、それぞれ１枚の可撓性で矩形状の金属板から形成されている。各取付金具１１ａ，１１ｂ，１１ｃ，１１ｄは、溝部２１ａと保持部２１ｂと１対の羽根部２１ｃとを有している。溝部２１ａは、各取付金具１１ａ，１１ｂ，１１ｃ，１１ｄの中央部をその幅方向に沿った折れ線で折り曲げてＵ字形の溝状に形成されている。保持部２１ｂは、溝部２１ａの幅方向にある金属板の両端部を溝部２１ａの上方に突出させ、互いに所定の間隔をあけて溝部２１ａの上部開口の中央で対向させ、溝部２１ａの上方に突出した部分を溝部２１ａの底部側に傾斜させて形成されている。羽根部２１ｃは、溝部２１ａの幅方向にある金属板の両端部を溝部２１ａの折れ線と平行な折れ線で折り返し折り重ねて成っている。羽根部２１ｃは、溝部２１ａを挟む両側に設けられている。
【００１７】
図１（ａ）に示すように、回り縁用取付金具１１ａは、一方の羽根部２１ｃが溝部２１ａの外側に向かって溝部２１ａの開口面に対して平行に伸び、他方の羽根部２１ｃが溝部２１ａの上方に向かって伸びるよう形成されている。図２（ａ）に示すように、出隅用取付金具１１ｂは、各羽根部２１ｃがそれぞれ溝部２１ａの外側下方に向かって、溝部２１ａの開口面に対して傾斜して伸びるよう形成されている。図３（ａ）に示すように、入隅用取付金具１１ｃは、各羽根部２１ｃがそれぞれ溝部２１ａの外側上方に向かって、溝部２１ａの開口面に対して傾斜して伸びるよう形成されている。図４（ａ）に示すように、中間用取付金具１１ｄは、各羽根部２１ｃがそれぞれ溝部２１ａの外側に向かって、溝部２１ａの開口面に対して平行に伸びるよう形成されている。
【００１８】
図１（ｂ）乃至図４（ｂ）に示すように、縁部材本体１２ａ，１２ｂ，１２ｃ，１２ｄは、回り縁用縁部材本体１２ａ、出隅用縁部材本体１２ｂ、入隅用縁部材本体１２ｃおよび中間用縁部材本体１２ｄの４種類から成っている。各縁部材本体１２ａ，１２ｂ，１２ｃ，１２ｄは、それぞれ断面形状が同一の細長い部材から成る。各縁部材本体１２ａ，１２ｂ，１２ｃ，１２ｄは、突出部２２ａと係合部２２ｂとを有している。突出部２２ａは、縁部材本体１２ａ，１２ｂ，１２ｃ，１２ｄの裏側から突出し、縁部材本体の長さ方向に沿って伸びている。突出部２２ａは、各取付金具１１ａ，１１ｂ，１１ｃ，１１ｄの保持部２１ｂの間に挿入可能である。各対の係合部２２ｂは、突出部２２ａの両側面の、先端からの距離が異なる複数の位置に両側面対称に設けられている。係合部２２ｂは、縁部材本体１２ａ，１２ｂ，１２ｃ，１２ｄの長さ方向に沿って伸びた複数の突条から成っている。係合部２２ｂは、突出部２２ａを保持部２１ｂの間に挿入したとき、複数の深さで保持部２１ｂと係合可能である。また、各縁部材本体１２ａ，１２ｂ，１２ｃ，１２ｄは、両側縁２２ｃが裏面側に向かって断面円弧状に折り曲げられている。
【００１９】
図１（ｂ）に示すように、回り縁用縁部材本体１２ａは、表面側に反っており、突出部２２ａと一方の側部２２ｄとの間に、長さ方向に沿って設けられた内腕部２２ｅを有している。内腕部２２ｅは、一方の側部２２ｄに対して所定の間隔を開けて平行を成し、一方の側部２２ｄよりも短く形成されている。内腕部２２ｅは、先端縁が裏面側に向かって折り曲げられている。図２（ｂ）に示すように、出隅用縁部材本体１２ｂは、両側部２２ｄが互いに概ね垂直を成すよう裏面側に反っており、両側部２２ｄの表面が互いに異なった形状で僅かに湾曲して形成されている。図３（ｂ）に示すように、入隅用縁部材本体１２ｃは、表面側で両側部２２ｄが互いに概ね垂直を成し、両側部２２ｄの表面が互いに異なった形状で僅かに湾曲して形成されている。図４（ｂ）に示すように、中間用縁部材本体１２ｄは、両側部２２ｄが概ね同一平面を成し、両側部２２ｄの表面が互いに異なった形状で僅かに湾曲して形成されている。図５乃至図８に示すように、各縁部材本体１２ａ，１２ｂ，１２ｃ，１２ｄは、突出部２２ａを各取付金具１１ａ，１１ｂ，１１ｃ，１１ｄの保持部２１ｂの間に挿入し、係合部２２ｂを保持部２１ｂと係合させることにより、各取付金具に取付可能である。
【００２０】
図５、図９および図１０に示すように、カバー部材１３ａ，１３ｂ，１３ｃは、回り縁用カバー部材１３ａ、出隅用カバー部材１３ｂおよび入隅用カバー部材１３ｃの３種類から成っている。各カバー部材１３ａ，１３ｂ，１３ｃは、所定の長さの板状で、回り縁用縁部材本体１２ａの正面形状に沿った形状を成している。図９に示すように、出隅用カバー部材１３ｂは、両端面２３ａが表面に対して４５度を成すよう切断されており、他の出隅用カバー部材１３ｂと両端面２３ａを一致させて背面側に垂直に接続可能である。図１０に示すように、入隅用カバー部材１３ｃは、左右対称の２つで１組を成し、一方の端面２３ａが裏面に対して４５度を成すよう切断されており、対称形状の入隅用カバー部材１３ｃと一方の端面２３ａを一致させて表面側に垂直に接続可能である。また、入隅用カバー部材１３ｃは、他方の端面２３ａが表面に対して４５度を成すよう切断されている。
【００２１】
図５に示すように、本考案の実施の形態の建物構造では、回り縁用取付金具１１ａが一方の羽根部２１ｃを壁部材１に、他方の羽根部２１ｃを天井部材２に沿わせ、天井部材２と壁部材１との間に溝部２１ａを挿入して固定されている。また、回り縁用縁部材本体１２ａが一方の側部２２ｄを壁部材１に、内腕部２２ｅを天井部材２に接するようにし、突出部２２ａを回り縁用取付金具１１ａの保持部２１ｂに挿入して取り付けられている。図６に示すように、出隅用取付金具１１ｂが各羽根部２１ｃを各壁部材１に沿わせ、壁部材１と壁部材１との間の出隅部に溝部２１ａを挿入して固定されている。また、出隅用縁部材本体１２ｂが両側部２２ｄを各壁部材１に接するようにし、突出部２２ａを出隅用取付金具１１ｂの保持部２１ｂに挿入して取り付けられている。
【００２２】
図７に示すように、入隅用取付金具１１ｃは、各羽根部２１ｃを各壁部材１に沿わせ、壁部材１と壁部材１との間の入隅部に溝部２１ａを挿入して固定されている。入隅用縁部材本体１２ｃは、両側部２２ｄを各壁部材１に接するようにし、突出部２２ａを入隅用取付金具１１ｃの保持部２１ｂに挿入して取り付けられている。図８に示すように、中間用取付金具１１ｄは、各羽根部２１ｃを各壁部材１に沿わせ、平面状に配置された壁部材１と壁部材１との間に溝部２１ａを挿入して固定されている。中間用縁部材本体１２ｄは、両側部２２ｄが各壁部材１に接するようにし、突出部２２ａを中間用取付金具１１ｄの保持部２１ｂに挿入して取り付けられている。
各取付金具１１ａ，１１ｂ，１１ｃ，１１ｄは、溝部２１ａまたは羽根部２１ｃで、さらにビスやネジ、熱可塑性の粘着剤などにより壁部材１や天井部材２などの各構造部材に固定されている。
【００２３】
図５に示すように、回り縁用カバー部材１３ａは、隣り合う回り縁用縁部材本体１２ａの対向する縁部にまたがって、各縁部を覆うよう各回り縁用縁部材本体１２ａの表面に両面テープ等で貼り付けられている。１対の出隅用カバー部材１３ｂおよび１組の入隅用カバー部材１３ｃは、隣り合って出隅部および入隅部で互いに垂直に交わる回り縁用縁部材本体１２ａの対向する縁部にまたがって、各縁部を覆うよう、それぞれ各回り縁用縁部材本体１２ａの表面に両面テープ等で貼り付けられている。各出隅用カバー部材１３ｂ同士および各入隅用カバー部材１３ｃ同士は、それぞれ裏面側で互いにＬ字金具により連結されている。
【００２４】
次に、作用について説明する。
本考案の実施の形態の建物構造は、各取付金具１１ａ，１１ｂ，１１ｃ，１１ｄの溝部を壁部材１、天井部材２などの２つの構造部材の間に挿入し、固定して使用される。縁部材は、各縁部材本体１２ａ，１２ｂ，１２ｃ，１２ｄの突出部２２ａを各取付金具１１ａ，１１ｂ，１１ｃ，１１ｄの保持部２１ｂの間に挿入するとき、先端からの距離が異なる複数の位置の係合部２２ｂにより複数の深さで保持部２１ｂと係合させることができる。このため、取付金具１１ａ，１１ｂ，１１ｃ，１１ｄに対し、縁部材本体１２ａ，１２ｂ，１２ｃ，１２ｄの取付高さを調整することができる。各構造部材の厚みや高さが異なる場合や縁部材同士が重なる場合でも、縁部材本体１２ａ，１２ｂ，１２ｃ，１２ｄの高さを調整し、きれいな外観に仕上げることができる。
【００２５】
本考案の実施の形態の建物構造は、複数の縁部材の各構造部材から突出する高さを調整することができるので、きれいな外観に仕上げることができる。特に、各カバー部材１３ａ，１３ｂ，１３ｃが縁部材本体１２ａの表面に取り付けられて縁部材本体１２ａの対向する各縁部を覆うため、よりきれいな外観に仕上げることができる。
【００２６】
各取付金具１１ａ，１１ｂ，１１ｃ，１１ｄは、１枚の矩形状の金属板から成っているため、製造が容易で、材料コストおよび製造コストの低減を図ることができる。縁部材は、各取付金具１１ａ，１１ｂ，１１ｃ，１１ｄの保持部２１ｂが金属板１枚分から成って可撓性を有するため、各縁部材本体１２ａ，１２ｂ，１２ｃ，１２ｄの突出部２２ａを挿入して係合部２２ｂを保持部２１ｂに係合しやすい。特に、保持部２１ｂは溝部２１ａの底部側に傾斜しているため、各縁部材本体１２ａ，１２ｂ，１２ｃ，１２ｄの突出部２２ａを挿入しやすく、かつ係合部２２ｂが外れにくくなっている。ただし、各縁部材本体１２ａ，１２ｂ，１２ｃ，１２ｄは外す方向に強く引っ張ることにより取り外すことができ、各縁部材本体は着脱可能である。取付金具１１ａ，１１ｂ，１１ｃ，１１ｄの各羽根部２１ｃは、金属板を折り返し折り重ねてあるため、強度が高く破損しにくい。
【００２７】
回り縁用縁部材本体１２ａは内腕部２２ｅと一方の側部２２ｄとの間に空間を有しているため、その空間に化粧板等の端部を収めることにより寸法誤差を吸収することができる。また、各縁部材本体１２ａ，１２ｂ，１２ｃ，１２ｄは、両側縁２２ｃが裏面側に向かって断面円弧状に折り曲げられているので、正面側から化粧板等との境界が見えず、境界付近に陰影を付けることができる。これにより、趣のあるきれいな外観に仕上げることができる。
【００２８】
本考案の実施の形態の建物構造は、各取付金具１１ａ，１１ｂ，１１ｃ，１１ｄを、各構造部材に対してビスやネジ、熱可塑性の粘着剤などにより固定しているため、各取付金具１１ａ，１１ｂ，１１ｃ，１１ｄの着脱が容易であり、各取付金具１１ａ，１１ｂ，１１ｃ，１１ｄの再利用が可能である。例えば、各取付金具１１ａ，１１ｂ，１１ｃ，１１ｄを熱可塑性の粘着剤で固定した場合、固化した熱可塑性の粘着剤を専用のドライヤーやアイロン等で加熱することにより、各取付金具１１ａ，１１ｂ，１１ｃ，１１ｄや壁部材１、天井部材２などの構造部材を壊すことなく容易に取り外すことができる。
【符号の説明】
【００２９】
１  壁部材
２  天井部材
１１ａ，１１ｂ，１１ｃ，１１ｄ  取付金具
１２ａ，１２ｂ，１２ｃ，１２ｄ  縁部材本体
１３ａ，１３ｂ，１３ｃ  カバー部材
２１ａ  溝部
２１ｂ  保持部
２１ｃ  羽根部
２２ａ  突出部
２２ｂ  係合部
２２ｃ  側縁
２２ｄ  側部
２２ｅ  内腕部
２３ａ  端面
【図１】
0003165276.tif 000003
【図２】
0003165276.tif 000004
【図３】
0003165276.tif 000005
【図４】
0003165276.tif 000006
【図５】
0003165276.tif 000007
【図６】
0003165276.tif 000008
【図７】
0003165276.tif 000009
【図８】
0003165276.tif 000010
【図９】
0003165276.tif 000011
【図１０】
0003165276.tif 000012